(57)【要約】【課題】防水シートに孔をあけずに、防水シート表面に安定状態に設置固定することができる浮床用スタンドを提供する。【解決手段】本発明は、躯体１上のＰＶＣ樹脂製防水シート２上に設置され、上端に浮床パネル５が支持されるよう構成された浮床用スタンドを対象とする。このスタンドは、下端に設置用フランジ１５が設けられたポリオレフィン系樹脂製スタンド本体１０と、フランジ１５の下面に抑え板３０を介して固定されるＰＶＣ樹脂製接合シート２０とを備える。接合シート２０が防水シート２に、溶剤処理、熱処理、接着剤処理により接合固定される。【選択図】      図２
2004285614.tif 000002
【特許請求の範囲】
【請求項１】
躯体上に設けられた防水層上に設置され、上端に浮床パネルが水平状態に支持されるよう構成された浮床用スタンドであって、
下端に設置用フランジが設けられたスタンド本体と、
前記設置用フランジの下面に固定される接合部材とを備え、
前記設置用フランジが、前記防水層に対し相溶性を有しない合成樹脂により構成されるとともに、
前記接合部材が、その少なくとも下面側が前記防水層に対し相溶性を有する合成樹脂により構成されてなり、
前記接合部材が前記防水層に接合固定されるよう構成されてなることを特徴とする浮床用スタンド。
【請求項２】
前記接合部材が、軟質シートにより構成されてなる請求項１記載の浮床用スタンド。
【請求項３】
前記接合部材が、硬質ないしは半硬質板により構成されてなる請求項１記載の浮床用スタンド。
【請求項４】
前記接合部材が、前記設置用フランジよりも径寸法が大きく設定されて、前記接合部材の外周縁部が前記設置用フランジの外周縁部よりも外側に張り出した状態に配置されてなる請求項１ないし３のいずれかに記載の浮床用スタンド。
【請求項５】
前記防水層が、合成樹脂製の防水シートにより構成されてなる請求項１ないし４のいずれかに記載の浮床用スタンド。
【請求項６】
前記接合部材の下面に抑え板が設けられ、その抑え板及び前記接合部材を貫通して前記スタンド本体に固定される固着具によって、前記接合部材が、前記抑え板を介して前記設置用フランジに接合状態に固定されてなる請求項１ないし５のいずれかに記載の浮床用スタンド。
【請求項７】
前記接合部材が、前記設置用フランジに、二色成形又はインサート成形によって一体に形成されてなる請求項１ないし５のいずれかに記載の浮床用スタンド。
【請求項８】
躯体上に防水シートが敷設されて防水層が形成される一方、上端に浮床パネルが水平状態に支持されるよう構成された浮床用スタンドを、前記防水層上に固定するための浮床用スタンドの固定構造であって、
前記浮床用スタンドが、その下端に設けられた設置用フランジと、前記設置用フランジの下面に固定された接合部材とを有し、
前記設置用フランジが、前記防水層に対し相溶性を有しない合成樹脂により構成されるとともに、前記接合部材が、その少なくとも下面側が前記防水層に対し相溶性を有する合成樹脂により構成される一方、
前記防水層の下面側における前記躯体上に、前記設置用フランジよりも径寸法が大きい座板が固定されるとともに、前記防水層上における前記座板に対応する位置に、前記浮床用スタンドの接合部材が接合固定されてなることを特徴とする浮床用スタンドの固定構造。
【発明の詳細な説明】
【０００１】
【発明の属する技術分野】
この発明は、例えばベランダにおけるシート防水施工面等の防水層上に浮床を組み立てる際に用いられる浮床用スタンド及びその固定構造に関する。
【０００２】
【従来の技術】
近年の住宅においては、居住空間内での段差等を少なくするようにした、いわゆるバリアフリー住宅が好んで採用される傾向にある。例えば、防水施工された屋外のベランダと屋内の居室との間の段差をなくす際には、ベランダ表面の防水層上に浮床を組み立てて、居室側の床と同レベルに調整するようにしている。
【０００３】
浮床を組み立てる場合には、多数の浮床用スタンドをベランダ表面に縦横に所定の配列で配置するとともに、これらのスタンドに、複数の浮床パネルを支持させて水平面に沿って面状に配置するものである。
【０００４】
ところで、上記のような浮床に用いられるスタンドは、ポリプロピレン樹脂やポリエチレン樹脂等のオレフィン系樹脂、あるいはポリアミド樹脂により構成されるのが一般的である。これに対し、ベランダ表面に防水層として施工される防水シートは、多くの場合、ポリ塩化ビニル樹脂等により構成されている。つまり、浮床用スタンドは、ポリ塩化ビニル樹脂製の防水シートに対し、相溶性のないオレフィン系樹脂により構成されている。このため、浮床用スタンドは、接着剤や溶剤等によって、防水シートに接着固定することが困難である。
【０００５】
そこで、従来においては、浮床用スタンドを躯体に固定する場合、例えば下記特許文献１に示すように、浮床用スタンドの下端外周フランジを固定ビス等によりベランダ躯体に固定するようにしていた。
【０００６】
【特許文献１】
特開２００１−１７３２０４号（２頁右欄、図２）
【０００７】
【発明が解決しようとする課題】
しかしながら、ベランダ表面には、防水シート等による防水層が形成されているため、上記特許文献１に示すように、浮床用スタンドを固定ビスにより躯体に固定する場合には、防水層にビスを貫通して躯体に固定することになる。このため、防水層のビス貫通部において防水性が破壊されてしまい、長期間使用していくうちに、防水層のビス貫通部を介して漏水が発生する恐れがあった。
【０００８】
一方、従来においては、浮床スタンドを躯体に固定せず躯体表面に載置するだけの工法も採用されている。この工法においては、躯体表面の防水層に固定用貫通孔が設けられることがなく、長期にわたって良好な防水性を確保することができる。しかしながら、浮床用スタンドが躯体に載置されるだけで固定されていないため、地震等によって建物自体に振動が生じると、スタンドが位置ずれしたり、場合によっては転倒して、浮床パネルが崩れ落ちる恐れがある等、設置安定性の点で問題を抱えている。
【０００９】
この発明は、上記従来技術の問題を解消し、防水層に固定用貫通孔を設けることなく、十分な防水性を長期間にわたって確保しつつ、躯体表面に安定状態に設置固定でき、例えば地震等によっても位置ずれや転倒を防止することができる浮床用スタンド及びその固定構造を提供することを目的とする。
【００１０】
【課題を解決するための手段】
上記目的を達成するため、本第１発明は、躯体上に設けられた防水層上に設置され、上端に浮床パネルが水平状態に支持されるよう構成された浮床用スタンドであって、下端に設置用フランジが設けられたスタンド本体と、前記設置用フランジの下面に固定される接合部材とを備え、前記設置用フランジが、前記防水層に対し相溶性を有しない合成樹脂により構成されるとともに、前記接合部材が、その少なくとも下面側が前記防水層に対し相溶性を有する合成樹脂により構成されてなり、前記接合部材が前記防水層に接合固定されるよう構成されてなるものを要旨としている。
【００１１】
この発明の浮床用スタンドにおいては、下面側が、防水層に対し相溶性を有する合成樹脂により構成された接合部材を、スタンド本体の設置用フランジに固定するものであるため、スタンド本体側の接合部材を、溶剤処理、熱処理、接着剤処理によって防水層に確実に接着固定することができる。しかもこの接着固定に際しては、防水層にビス孔等の貫通孔を形成する必要がなく、貫通孔に起因する漏水の発生を確実に防止することができる。
【００１２】
本発明においては、前記接合部材が、軟質シートにより構成されてなるものを採用するのが好ましい。
【００１３】
すなわちこの場合には、接合部材を防水層の上面に沿って無理なく沿わせることができるため、接合部材の防水層への接合固定作業を容易に行うことができる。
【００１４】
また本発明においては、前記接合部材が、硬質ないしは半硬質板により構成されてなるものを採用するのが良い。
【００１５】
すなわちこの場合には、接合部材を防水層上に安定状態に設置することができるため、浮床用スタンドの設置安定性を向上させることができる。
【００１６】
更に本発明においては、前記接合部材が、前記設置用フランジよりも径寸法が大きく設定されて、前記接合部材の外周縁部が前記設置用フランジの外周縁部よりも外側に張り出した状態に配置されてなる構成を採用するのが望ましい。
【００１７】
すなわちこの構成を採用する場合には、接合部材を、フランジ外周を含む広い範囲で防水層に接合固定することができるため、浮床用スタンドの防水層に対する設置安定性を、より向上させることができる。
【００１８】
本発明においては、防水シートにより防水施工された躯体に好適に適用することができる。
【００１９】
すなわち本発明においては、前記防水層が、合成樹脂製の防水シートにより構成されてなるものを採用するのが、より好ましい。
【００２０】
また本発明は、前記接合部材の下面に抑え板が設けられ、その抑え板及び前記接合部材を貫通して前記スタンド本体に固定される固着具によって、前記接合部材が、前記抑え板を介して前記設置用フランジに接合状態に固定されてなる構成を採用するのが、より望ましい。
【００２１】
すなわちこの構成を採用する場合には、接合部材を、その材質にかかわらずスタンド本体に高強度で確実に固定することができる。
【００２２】
また本発明は、前記接合部材が、前記設置用フランジに、二色成形又はインサート成形によって一体に形成されてなる構成を採用するのが、より一層好ましい。
【００２３】
すなわちこの構成を採用する場合には、例えば設置現場等における接合部材のスタンド本体への取付作業を省略できる上更に、接合部材をスタンドに固定するための部材も省略することができるため、スタンド製作作業やスタンド設置作業を容易に行えるとともに、コストを削減することができる。
【００２４】
上記目的を達成するため、本第２発明は、躯体上に防水シートが敷設されて防水層が形成される一方、上端に浮床パネルが水平状態に支持されるよう構成された浮床用スタンドを、前記防水層上に固定するための浮床用スタンドの固定構造であって、前記浮床用スタンドが、その下端に設けられた設置用フランジと、前記設置用フランジの下面に固定された接合部材とを有し、前記設置用フランジが、前記防水層に対し相溶性を有しない合成樹脂により構成されるとともに、前記接合部材が、その少なくとも下面側が前記防水層に対し相溶性を有する合成樹脂により構成される一方、前記防水層の下面側における前記躯体上に、前記設置用フランジよりも径寸法が大きい座板が固定されるとともに、前記防水層上における前記座板に対応する位置に、前記浮床用スタンドの接合部材が接合固定されてなるものを要旨としている。
【００２５】
この発明の浮床用スタンドの固定構造においては、躯体上における防水シートの下面側に座板を固定しておき、その座板上に防水シートを介して、上記第１発明の浮床用スタンドを設置するものであるため、上記第１発明による作用効果に加えて更に、浮床用スタンドの設置安定性を、より一層向上させることができる。
【００２６】
なお、本第２発明は、上記第１発明の好適構成（請求項２ないし７のいずれかに記載の構成）を好適に採用することができ、上記と同様の作用効果を奏するものである。
【００２７】
【発明の実施の形態】
＜第１実施形態＞
図１ないし図３に示すように、この発明の第１実施形態である浮床用スタンド（Ｐ１）は、ベランダ上に浮床を形成する際に、浮床パネル（５）を支持するためのものである。
【００２８】
まず、本浮床用スタンド（Ｐ１）が適用されるベランダの構成について説明しておくと、ベランダの躯体（１）としては、鉄筋コンクリート、軽量発泡コンクリート、プレキャストコンクリート等のコンクリートにより構成されるものである。
【００２９】
更にこのコンクリート躯体（１）の表面には、軟質合成樹脂製の防水シート（２ａ）が敷設施工されて、防水層（２）が形成されている。
【００３０】
防水層（２）としての防水シート（２ａ）は、所要部分のみが、樹脂被覆鋼板製の固定ディスク（図示省略）を介して躯体（１）に固定され、多くの部分が躯体（１）から遊離した状態に配置するようにした絶縁工法によって施工されている。もっとも本発明においては、防水シート（２ａ）のほぼ全域を躯体（１）に固定するようにした密着工法を用いるようにしても良い。
【００３１】
本実施形態において、防水シート（２ａ）としては、例えば軟質ポリ塩化ビニル（Ｓ−ＰＶＣ）樹脂からなるものが用いられている。なお本発明において、防水シート（２ａ）としては、上記のＰＶＣ樹脂の他に、ポリオレフィン系樹脂、例えばポリオレフィン系熱可塑性エラストマー（ＴＰＥ）からなるもの等も好適に用いることができる。
【００３２】
一方、浮床用スタンド（Ｐ１）は、略筒状のスタンド本体（１０）と、接合部材としての円盤状の接合シート（２０）と、円盤状の抑え板（３０）とを基本的な構成として備えている。
【００３３】
スタンド本体（１０）は、下側体（１１）、中間体（１２）及び上側体（１３）が螺着されて形成されており、中間体（１２）及び上側体（１３）の螺合量によって、高さ調整できるよう構成されている。
【００３４】
本実施形態において、スタンド本体（１０）は、その各構成体（１１）〜（１３）が、例えばポリプロピレン（ＰＰ）樹脂やポリエチレン（ＰＥ）樹脂等のポリオレフィン系樹脂の硬質合成樹脂成形品によって形成されている。なおスタンド本体（１０）としては、上記のポリオレフィン系樹脂の他に、ポリアミド樹脂や硬質ポリ塩化ビニル（Ｈ−ＰＶＣ）樹脂等からなるものも好適に用いることができる。
【００３５】
またスタンド本体（１０）の下側体（１１）における下端外周には、外向きに設置用フランジ（１５）が一体に形成されるとともに、上側体（１３）の上端にはフランジ状にパネル設置板（１６）が設けられている。
【００３６】
接合シート（２０）は、上記防水シート（２ａ）に対し、相溶性を有する材質、例えば同種の材質により構成されている。具体的には、軟質ポリ塩化ビニル（Ｓ−ＰＶＣ）樹脂等、防水シート（２ａ）と同じ材質により構成されている。
【００３７】
また接合シート（２０）は、スタンド本体（１０）の設置用フランジ（１５）よりも径寸法が大きく形成されている。
【００３８】
抑え板（３０）は、鋼板等の金属製芯板の両面が樹脂により被覆された樹脂被覆鋼板等の樹脂被覆金属板をもって構成されている。この樹脂層や芯板の材質は、特に限定されるものではないが、好ましくは、下面側の樹脂層を防水シート（２ａ）に対し、相溶性を有する材質、例えば同種の材質、具体的には防水シート（２ａ）と同じ材質のポリ塩化ビニル（ＰＶＣ）樹脂により構成するのが良く、上面側の樹脂層を接合シート（２０）に対し相溶性を有する材質、例えば同種の材質、具体的には接合シート（２０）と同じ材質のＰＶＣ樹脂により構成するのが良い。
【００３９】
また抑え板（３０）は、スタンド本体（１０）の設置用フランジ（１５）に対し、径寸法がほぼ同じ大きさに形成されている。
【００４０】
本実施形態においては、スタンド本体（１０）におけるフランジ（１５）の下面側に、接合シート（２０）が配置されるとともに、その接合シート（２０）の下面側に抑え板（３０）が配置される。そしてその状態で、タッピングビス等の固着具（４０）が下面側から抑え板（３０）及び接合シート（２０）に貫通されてフランジ（１５）に螺着固定される。これにより抑え板（３０）が接合シート（２０）を介してスタンド本体（１０）のフランジ（１５）側に抑圧されて、接合シート（２０）が、フランジ（１５）の下面に接合した状態に固定される。この固定状態においては、接合シート（２０）の中央部がフランジ（１５）及び抑え板（３０）に挟持されて、外周部がフランジ（１５）及び抑え板（３０）の外周縁部よりも外方に張り出した状態に配置されている。
【００４１】
以上の構成の複数の浮床用スタンド（Ｐ１）を、ベランダの所定位置に設置して、スタンド（Ｐ１）の接合シート（２０）をベランダ表面の防水層（２）に接合固定する。すなわち防水シート（２０）を防水層（２）としての防水シート（２ａ）の表面に、溶剤による溶着処理、熱風や誘電加熱による融着処理、シーリング剤等の接着剤による接着処理を行って接合一体化する。なおシーリング剤によって接着する場合には、防水シート表面にプライマーを塗布しておくのが好ましい。
【００４２】
ここで本実施形態においては、スタンド（Ｐ１）の接合シート（２０）と防水シート（２ａ）とを、互いに相溶性を有する同材質の樹脂によって構成しているため、上記の溶着、融着、接着処理により、両シート（２ａ）（２０）を互いに確実に接合固定することができる。
【００４３】
こうして複数の浮床用スタンド（Ｐ１）を、縦横に所定のピッチでベランダ上に設置した後、複数枚の浮床パネル（５）を、所定のスタンド（Ｐ１）のパネル設置板（１６）上に固定して、水平面に沿って面状に配置する。これにより浮床が形成されるものである。
【００４４】
以上のように、本実施形態の浮床用スタンド（Ｐ１）によれば、スタンド本体（１０）の下端に、防水層（２）と同じ材質の接合シート（２０）を取り付けるものであるため、接合シート（２０）を防水層（２）に十分な接着強度で固定することができる。このため、躯体（１）に対する設置安定性を向上させることができ、例えば地震等による振動が発生したとしても、スタンド（Ｐ１）が位置ずれしたり転倒したりするのを防止することができる。
【００４５】
また本実施形態のスタンド（Ｐ１）は、接合シート（２０）を躯体側の防水層（２）に接合固定するものであるため、例えば上記特許文献１に示す従来の浮床用スタンドのように、防水シート等の防水層に固定ビスを貫通させるものとは異なり、防水層（２）にビス孔等の貫通孔が形成されることがなく、貫通孔に起因する漏水の発生を確実に防止することができ、長期間にわたって良好な防水性を確保することができる。
【００４６】
また本実施形態においては、接合シート（２０）を軟質性のものにより構成しているため、接合シート（２０）を防水層（２）の上面に沿って無理なく正確に沿わせることができる。従って接合シート（２０）の防水層（２）への接合固定作業を容易に行うことができる。
【００４７】
更に本実施形態においては、接合シート（２０）を、スタンド本体（１０）の設置用フランジ（１５）よりも径寸法を大きく形成して、接合シート（２０）の外周縁部を設置用フランジ（１５）の外周縁部よりも外周に張り出すようにしているため、接合シート（２０）を、フランジ（１５）の外周部における広い範囲で防水層（２ａ）に接合固定することができ、浮床用スタンド（Ｐ１）の防水層（２ａ）に対する設置安定性を、より向上させることができる。
【００４８】
また本実施形態においては、接合シート（２０）を、固着具（４０）を介して設置用フランジ（１５）及び抑え板（３０）により挟持するものであるため、接合シート（２０）を、その材質にかかわらず、スタンド本体（１０）に高い強度で確実に固定することができる。
【００４９】
＜第２実施形態＞
図４及び図５はこの発明の第２実施形態である浮床用スタンドの固定構造を示す図である。両図に示すように、この第２実施形態では、躯体（１）上における防水シート（２ａ）の下面側に、スタンド設置位置に対応して、座板（５０）を設ける点が上記第２実施形態と相違するものである。
【００５０】
すなわち防水シート（２ａ）を施工する前に、あらかじめ躯体（１）上のスタンド設置予定位置に座板（５０）を固定ディスク（６０）及び固着具（６１）を介して固定する。
【００５１】
座板（５０）は、鋼板等の金属製芯板の両面が樹脂により被覆された樹脂被覆鋼板等の樹脂被覆金属板をもって構成されている。この樹脂層や芯板の材質は、特に限定されるものではないが、好ましくは両面の樹脂層を、防水シート（２ａ）と同種の材質、具体的には防水シート（２ａ）と同じＰＶＣ樹脂により構成するのが良い。
【００５２】
更に座板（５０）は、スタンド（Ｐ１）のフランジ（１５）よりも径寸法が大きい円盤形状を有している。なお言うまでもなく、座板（５０）は、必ずしも円形（円盤状）のものを用いる必要はなく、方形状等の多角形状のもの等を用いるようにしても良い。
【００５３】
固定ディスク（６０）は、鋼板等の金属製芯板の両面が樹脂により被覆された樹脂被覆鋼板等の樹脂被覆金属板をもって構成されている。この樹脂層や芯板の材質は、特に限定されるものではないが、好ましくは、上面側を、防水シート（２ａ）と同種の材質、具体的には防水シート（２ａ）と同じＰＶＣ樹脂により構成するのが良く、下面側の樹脂層を、座板（５０）の状面層と同種の材質、具体的にはＰＶＣ樹脂により構成するのが良い。
【００５４】
なお本実施形態においては、固定ディスク（６０）は、防水シート（２ａ）を固定するための固定ディスク（６０）と同様のものが用いられている。
【００５５】
この座板（５０）を固定するには、躯体（１）上の所定位置に座板（５０）を配置するとともに、その座板（５０）上に固定ディスク（６０）を配置し、その状態で、コンクリート釘や開脚釘等の固着具（６１）を固定ディスク（６０）及び座板（５０）に貫通して躯体（１）に固定する。これにより座板（５０）が固定ディスク（６０）を介して躯体（１）に抑圧されて固定される。
【００５６】
こうして座板（５０）を固定した状態で、その座板（５０）を覆うようにして、防水シート（２ａ）を上記第１実施形態と同様に敷設施工して、防水層（２）を形成する。なお、防水シート（２ａ）を施工するに際し、座板（５０）やその固定ディスク（６０）に防水シート（２ａ）を、溶剤処理、熱処理、接着剤処理等により接合固定するようにしても良い。
【００５７】
この防水層（２）上に、浮床用スタンド（Ｐ１）を上記第１実施形態と同様に取り付ける。このとき、スタンド（Ｐ１）は、座板（５０）に対応する位置に組み付けるものである。すなわちスタンド本体（１０）を座板（５０）の中心部に配置して、接合シート（２０）の外周部を防水シート（２ａ）における座板（５０）の外周部に接合固定する。
【００５８】
その他の構成は、上記第１実施形態と同様であるため、同一部分に同一符号を付して重複説明は省略する。
【００５９】
この第２実施形態の浮床用スタンド固定構造においては、座板（５０）上に防水シート（２ａ）を介して浮床用スタンド（Ｐ１）を設置するものであるため、設置安定性をより一層向上させることができる。従って、大規模な地震が発生したとしても、スタンド（Ｐ１）の位置ずれや転倒を、より確実に防止することができる。
【００６０】
なお本実施形態においては、座板（５０）を固定するためのディスク（６０）として、防水シート（２ａ）を固定するためのディスクと同じ構成のものを用いているため、座板固定用に専用の固定部材を用いる必要がなく、その分、部品点数の削減、ひいてはコストの削減を図ることができる。
【００６１】
＜第３実施形態＞
図６はこの発明の第３実施形態である浮床用スタンド（Ｐ３）を示す側面図である。同図に示すように、このスタンド（Ｐ３）は、スタンド本体（１０）の設置用フランジ（１５）に、軟質性の接合シート（２１）が直接固定されるものである。
【００６２】
すなわちこの接合シート（２１）は、少なくとも２層以上の積層体からなる複合材により形成されており、下面層が防水シート（２ａ）に対し相溶性を有する樹脂、例えば同種の樹脂、具体的にはＰＶＣ樹脂により構成されるとともに、上面層がスタンド本体（１０）のフランジ（１５）に対し相溶性を有する樹脂、例えば同種の樹脂、具体的にはポリオレフィン系樹脂により構成されている。
【００６３】
この接合シート（２１）がスタンド本体（１０）のフランジ（１５）に、溶剤処理、熱処理、接着剤処理等により接合固定されることにより、浮床用スタンド（Ｐ３）が形成されるものである。
【００６４】
この構成の浮床用スタンド（Ｐ３）が、上記実施形態と同様にして、防水層（２）としての防水シート（２ａ）上に取り付けられるものである。
【００６５】
その他の構成は、上記第１実施形態と同様であるため、同一部分に同一符号を付して重複説明は省略する。
【００６６】
この実施形態の浮床用スタンド（Ｐ３）においては、接合シート（２１）をスタンド本体（１０）に直接固定するものであるため、接合シート（２１）をスタンド本体（１０）に固定するための部材、例えば抑え板（３０）や固着具（４０）等を用いる必要がなく、その分、部品点数を削減することができ、コストを削減することができる。
【００６７】
なお本第３実施形態においては、接合シート（２１）として軟質性のものを用いているが、それだけに限られず、例えば接合シートとして、硬質性や半硬質性のものを用いても良い。例えば鋼板等の金属製芯板の両面に樹脂層が積層された硬質の複合板により構成されるものを用いても良く、あるいは、金属製のメッシュシートやパンチングシート、繊維の織布、不織布、編布等の繊維錯綜体からなる芯層の両面に樹脂層が積層された半硬質の複合板により構成されるものを用いても良い。
【００６８】
また本発明においては、硬質ないしは軟質の複合シートや複合板からなる接合シートを、上記第１実施形態のように、抑え板（３０）や固着具（４０）等の固定手段を用いて、スタンド本体（１０）に固定するようにしても良い。
【００６９】
＜第４実施形態＞
図７はこの発明の第４実施形態である浮床用スタンド（Ｐ４）を示す一部切欠側面図である。同図に示すように、このスタンド（Ｐ４）は、スタンド本体（１０）の設置用フランジ（１５）に接合シート（２２）がインサート成形により一体に形成したものである。
【００７０】
接合シート（２２）は、防水シート（２ａ）に対し相溶性を有する樹脂、例えば同種の樹脂、具体的にはＰＶＣ樹脂により構成されている。
【００７１】
この構成の浮床用スタンド（Ｐ４）が、上記実施形態と同様にして、防水層（２）上に取り付けられるものである。
【００７２】
その他の構成は、上記第１実施形態と同様であるため、同一部分に同一符号を付して重複説明は省略する。
【００７３】
この実施形態の浮床用スタンド（Ｐ４）においては、接合シート（２２）をスタンド本体（１０）に一体成形するものであるため、設置現場における接合シート（２２）のスタンド本体（１０）への取付作業を省略できる上更に、接合シート（２２）をスタンド本体（１０）に固定するための部材も省略することができ、その分、スタンド製作作業やスタンド設置作業を容易に行えるとともに、コストを削減することができる。
【００７４】
なお本実施形態においては、インサート成形を用いて、接合シート（２２）をスタンド本体（１０）に一体成形するようにしているが、それだけに限られず、本発明においては、ダブルインジェクション成形等の二色成形を用いて、接合シートをスタンド本体に一体成形するようにしても良い。
【００７５】
更に本発明においては、上記第３及び第４実施形態のスタンド（Ｐ３）（Ｐ４）をベランダに設置施工するに際し、上記第２実施形態に示す座板（５０）を防水シート（２ａ）の下面に、あらかじめ固定しておくようにしても良い。
【００７６】
また上記実施形態においては、防水層（２）が防水シート（２ａ）により構成される場合について説明したが、それだけに限られず、本発明は、躯体上に取り付けられた樹脂被覆鋼板等の防水パネルにより防水層を形成するものや、躯体上に防水性塗料等が塗装されて防水層を形成するものにも適用することができる。
【００７７】
更に上記実施形態においては、接合部材としての接合シートの大きさを、スタンド本体のフランジよりも大きく設定しているが、それだけに限られず、本発明においては、接合部材の大きさを、スタンド本体のフランジに対し、同等もしくは小さく設定するようにしても良い。
【００７８】
また上記実施形態においては、スタンド本体がオレフィン系樹脂に構成されるとともに、防水層がＰＶＣ樹脂により構成される場合について説明したが、本発明においては、スタンド本体や、防水層の材質は特に限定されるものではない。要は、スタンド本体に取り付けられる接合シート（接合部材）の少なくとも下面側が、防水層に対し、相溶性を有する材料により構成されてさえいれば良い。例えばスタンド本体がＰＶＣ樹脂やポリアミド樹脂により構成されるとともに、防水層がポリオレフィン系熱可塑性エラストマー（ＴＰＥ）等のオレフィン系樹脂により構成される場合には、接合シート（接合部材）の少なくとも下面側がオレフィン系樹脂により構成されていれば良い。
【００７９】
【発明の効果】
以上のように、本第１発明の浮床用スタンドによれば、少なくとも下面側が、防水層に対し相溶性を有する合成樹脂により構成された接合部材を、スタンド本体の設置用フランジに固定するものであるため、スタンド本体側の接合部材を、溶剤処理、熱処理、接着剤処理等によって防水層に十分な接着強度で固定することができる。このため、躯体に対する設置安定性を向上させることができ、例えば地震等による振動が発生したとしても、スタンド本体が位置ずれしたり転倒したりするのを防止することができる。また接合部材を防水層に接合固定するものであるため、防水層にスタンド固定用にビス孔等の貫通孔が形成されることがなく、貫通孔に起因する漏水の発生を確実に防止でき、長期間にわたって良好な防水性を確保することができるという効果がある。
【００８０】
本第２発明の浮床用スタンドの固定構造は、上記第１発明の浮床用スタンドを防水シート上に設置するに際して、躯体上における防水シートの下面側に座板を固定しておき、その座板上に防水シートを介して浮床用スタンドを接合固定するものであるため、上記第１発明による効果に加えて更に、浮床用スタンドの設置安定性をより一層向上させることができる。
【図面の簡単な説明】
【図１】この発明の第１実施形態である浮床用スタンドを示す斜視図である。
【図２】第１実施形態の浮床用スタンドを示す一部切欠側面図である。
【図３】第１実施形態の浮床用スタンドを分解して示す一部切欠側面図である。
【図４】この発明の第２実施形態である浮床用スタンドの固定構造を示す一部切欠側面図である。
【図５】第２実施形態の固定構造を分解して示す一部切欠側面図である。
【図６】この発明の第３実施形態である浮床用スタンドを示す側面図である。
【図７】この発明の第４実施形態である浮床用スタンドを示す一部切欠側面図である。
【符号の説明】
１…躯体
２…防水層
２ａ…防水シート
５…浮床パネル
１０…スタンド本体
１５…設置用フランジ
２０、２１、２２…接合シート（接合部材）
３０…抑え板
４０…固着具
５０…座板
Ｐ１、Ｐ３、Ｐ４…浮床用スタンド
【図１】
2004285614.tif 000003
【図２】
2004285614.tif 000004
【図３】
2004285614.tif 000005
【図４】
2004285614.tif 000006
【図５】
2004285614.tif 000007
【図６】
2004285614.tif 000008
【図７】
2004285614.tif 000009